(57)【要約】【課題】光学式ピックアップよりディスクに対して信号の記録再生動作を行う光ディスク記録再生装置の記録密度識別方法を提供する。【解決手段】異なる記録密度の信号が記録されるディスク１を使用する光ディスク記録再生装置において、ディスク１から読み出される信号に基づいて記録されている信号を再生するためのクロック信号を生成するべく設けられているＰＬＬ回路６のロック範囲を狭めるとともにディスク１の回転速度を徐々に増大させ、ディスクより再生される信号のジッタ値を計測し、そのジッタ値が所定の値に低下したときのディスク１の回転数からディスク１に記録されている信号の記録密度を識別する【選択図】    図１
2004152324.tif 000002
【特許請求の範囲】
【請求項１】
異なる記録密度の信号が記録されるディスクを使用する光ディスク記録再生装置において、ディスクから読み出される信号に基づいて記録されている信号を再生するためのクロック信号を生成するべく設けられているＰＬＬ回路のロック範囲を狭めるとともにディスクの回転速度を徐々に増大させ、ディスクより再生される信号のジッタ値を計測し、そのジッタ値が所定の値に低下したときのディスクの回転数からディスクに記録されている信号の記録密度を識別するようにしたことを特徴とする光ディスク記録再生装置の記録密度識別方法。
【請求項２】
ＰＬＬ回路に組み込まれている電圧制御発振器の発振周波数の範囲を狭めることによってＰＬＬ回路のロック範囲を狭めるようにしたことを特徴とする請求項１に記載の記録密度識別方法。
【発明の詳細な説明】
【０００１】
【発明の属する技術分野】
本発明は、光学式ピックアップより照射されるレーザー光によってディスクに信号を記録したりレーザー光によってディスクに記録されている信号の再生動作を行うように構成された光ディスク記録再生装置に関する。
【０００２】
【従来の技術】
光学式ピックアップを用いてディスクに記録されている信号の読み出し動作を行うディスクプレーヤーが普及しているが、最近では、再生機能に加えて光学式ピックアップより照射されるレーザー光によってディスクに信号を記録することが出来るように構成された光ディスク記録再生装置が商品化されている。
【０００３】
信号を記録することが出来るディスクには、プリグルーブと呼ばれる溝が形成されており、このプリグルーブから得られるウォブル信号を復調することによって得られるＡＴＩＰと呼ばれる絶対時間情報を利用して信号の記録動作を行うように構成されている。一般の光ディスク記録再生装置は、ディスクから得られるＡＴＩＰ信号にて規定されている記録密度で信号の記録動作を行うように構成されているが、このＡＴＩＰ信号にて規定される密度ではなく同一のディスクに高密度にて記録動作を行うことが出来る技術が開発されている（例えば特許文献１参照。）。
【０００４】
また、同一のディスクに異なる密度で信号の記録動作を行う場合やディスクに記録されている信号の再生動作を行う場合には、記録密度に合わせてディスクを回転させたり、信号の処理動作を行うクロック信号の周波数設定等を行う必要があるので、ディスクに記録されている信号の記録密度を識別する必要がある。斯かる記録密度を識別する技術が開示されている（例えば特許文献２参照。）。
【０００５】
【特許文献１】
特開２００２−５６６１７号公報
【特許文献２】
特開平１１−１２０７０７号公報
【０００６】
【発明が解決しようとする課題】
ディスクに記録されている信号の記録密度を識別するためには、特許文献２に開示されているようにディスクに記録されている信号を再生するとともにその再生信号より得られる情報データを認識する必要があるため、ディスクに記録されている信号の再生動作が正確に行えなかった場合には、記録密度を識別するまでに時間を要するだけでなく、極端な場合には識別出来ないという問題がある。
【０００７】
本発明は、斯かる問題を解決することが出来る記録密度の識別方法を提供しようとするものである。
【０００８】
【課題を解決するための手段】
本発明は、異なる記録密度の信号が記録されるディスクを使用する光ディスク記録再生装置において、ディスクから読み出される信号に基づいて記録されている信号を再生するためのクロック信号を生成するべく設けられているＰＬＬ回路のロック範囲を狭めるとともにディスクの回転速度を徐々に増大させ、ディスクより再生される信号のジッタ値を計測し、そのジッタ値が所定の値に低下したときのディスクの回転数からディスクに記録されている信号の記録密度を識別するように構成されている。
【０００９】
【実施例】
図１は本発明に係る光ディスク記録再生装置の一実施例を示す回路図、図２は本発明の記録密度識別方法を説明するための図である。
【００１０】
図１において、１はターンテーブル２によって回転駆動されるディスク、３は該ディスク１に記録されている信号の読み出し動作及び該ディスク１に信号を記録する記録動作を行う光学式ピックアップ、４は前記光学式ピックアップ３より照射されるレーザー光をディスク１の信号面に合焦させるフォーカシング制御動作及び信号トラックにレーザー光を追従させるトラッキング制御動作を行うピックアップ制御回路である。
【００１１】
５は前記光学式ピックアップ３に組み込まれている光検出器より得られる高周波信号が入力されるとともに該信号を所望のデジタル信号に波形整形する波形整形回路、６はディスク１から読み出される信号に基づいて記録されている信号を再生するために使用されるクロック信号を生成するべく設けられているＰＬＬ（Ｐｈａｓｅ  Ｌｏｃｋｅｄ  Ｌｏｏｐ）回路であり、フィルター回路７、電圧制御発振器８及び前記波形整形回路５から出力される信号と電圧制御発振器８から出力される信号が入力される位相比較回路９とより構成されている。
【００１２】
１０は前記位相比較回路９の出力信号、即ち前記波形整形回路５から出力される信号と前記電圧制御発振器８から出力される信号との位相差に応じた信号からジッタ値を検出するジッタ検出回路であり、各種の制御動作を行う制御回路１１にその検出信号を出力するように構成されている。１２は前記制御回路１１によって動作が制御されるロック範囲変更回路であり、前記ＰＬＬ回路６に組み込まれている電圧制御発振器８の発振周波数の範囲を変更することによってＰＬＬ回路６のロック範囲を変更するように構成されている。
【００１３】
１３は前記ターンテーブル２を回転駆動するスピンドルモーター、１４は前記制御回路１１によって動作が制御されるとともに前記スピンドルモーター１３を回転駆動制御するスピンドルモーター駆動回路である。
【００１４】
以上に説明したように本発明に係る光ディスク記録再生装置は構成されているが、次に本発明の動作について説明する。まず、記録されている信号の記録密度が識別されているディスク１の再生動作について説明する。
【００１５】
記録密度が識別されているディスク１に記録されている信号の再生動作を行う場合には、ＰＬＬ回路６のロック範囲は広く設定されている。即ち、図２は電圧制御発振器８における電圧と周波数との関係を示すものであり、電圧制御発振器８に入力される電圧の可変範囲はＶ０からＶ３までになるようにロック範囲変更回路１２によって設定されている。このように電圧の可変範囲がＶ０からＶ３までに設定されているため、電圧制御発振器８から出力される信号の周波数は、ｆ０からｆ３までに設定されることになる。
【００１６】
一方、ディスク１に記録されている信号の記録密度は識別されているため、ディスク１を回転させる速度は記録密度に対応して設定されることになる。その結果、制御回路１１よりスピンドルモーター駆動回路１４に対して記録密度に合った回転速度にてディスク１を回転させるための制御信号が出力されることになる。斯かる制御信号がスピンドルモーター駆動回路１４に入力される結果、該スピンドルモーター駆動回路１４によるスピンドルモーター１３に対する回転駆動制御動作が行われる。斯かる回転制御動作は、ディスク１より再生される同期信号と基準信号との比較動作を行うことによって行われるが、例えば線速度が一定になるように行われる。
【００１７】
前述したようにディスク１は回転駆動されるが、斯かる回転駆動動作が行われると、ピックアップ制御回路４によるフォーカシング制御動作及びトラッキング制御動作が行われる。斯かる制御動作が行われる結果、ディスク１に記録されている信号の光学式ピックアップ３による読み出し動作が行われる。前記光学式ピックアップ３に組み込まれている光検出器より得られる高周波信号は、波形整形回路５に入力された後所望のデジタル信号に波形整形されてＰＬＬ回路６に組み込まれている位相比較回路９に入力される。
【００１８】
斯かる信号が位相比較回路９に入力されると、電圧制御回路８より出力される信号との位相比較動作が行われるとともにその位相差に応じた信号がフィルター回路７を通して電圧制御発振器８に入力される。斯かる信号の入力動作が行われる結果、ＰＬＬ回路６によるロック動作が行われるが、斯かる場合にはロック範囲が広く設定されているため、ＰＬＬ回路６によるロック動作を速やかに行うことが出来る。
【００１９】
前述したＰＬＬ回路６によるロック動作が行われると、ディスク１より読み出される同期信号と電圧制御発振器８より出力される信号との同期がとれた状態になり、その同期信号が信号の再生動作を行うためのクロック信号としてデジタル信号処理回路（図示せず）に供給されることになる。また、このようにして生成される同期信号がスピンドルモーター駆動回路１４に対する制御信号として出力され、この信号を利用することによってディスク１の回転動作を線速度一定になるように制御することが出来る。
【００２０】
以上に説明したように本実施例における通常の制御動作は行われるが、次に本発明の要旨である記録密度の識別方法について説明する。斯かる動作は、制御回路１１によるロック範囲変更回路１２に対する制御動作によって電圧制御発振器８の発振周波数の範囲を狭めることによって行われる。即ち、ロック範囲変更回路１２によって電圧制御発振器８に入力される電圧の範囲をＶ１からＶ２までに制限する動作が行われる。斯かる制限範囲であるＶ１からＶ２は、通常の電圧可変範囲であるＶ０からＶ３より可変範囲が狭いため、電圧制御発振器８より出力される信号の周波数もｆ０からｆ３までの範囲がｆ１からｆ２までの範囲とその周波数の可変範囲が狭くなる。
【００２１】
このように電圧制御発振器８より出力される信号の周波数可変範囲が狭くなるため、ＰＬＬ回路６のロック範囲が狭くなる。従って、ディスク１から読み出される信号と電圧制御発振器８より出力される信号とを同期させるための条件が厳しくなる。
【００２２】
ディスク１に記録されている信号の記録密度の識別動作は、前述したようにＰＬＬ回路６のロック範囲を狭めた状態にて行われるが、その動作は、スピンドルモーター駆動回路１４によってスピンドルモーター１３の回転速度を徐々に増加させながらディスク１から読み出される信号に含まれるジッタ値を計測することによって行われる。
【００２３】
スピンドルモーター駆動回路１４によってスピンドルモーター１３の回転速度を徐々に増加させると、ディスク１より読み出されるとともに波形整形回路５によって波形整形されて位相比較回路９に入力される信号の周波数が次第に高くなるが、ＰＬＬ回路６によるロック動作が行われない状態では、位相比較回路９より出力される信号に含まれるジッタ値が大きくなる。斯かるジッタ値はジッタ検出回路１０によって検出され、その検出された値が制御回路１１に入力される。
【００２４】
前記ジッタ検出回路１０によって検出されたジッタ値は、制御回路１１に入力されるが、斯かるジッタ値が設定値より大きい状態にある間スピンドルモーター駆動回路１４によるスピンドルモーター１３の回転数を増加させるための制御動作は続けて行われる。斯かる動作が行われると、ディスク１の回転速度が次第に増加することになり、波形整形回路５を通して位相比較回路９に入力される信号の周波数が徐々に高くなる。位相比較回路９に入力される信号の周波数が次第に高くなると、ジッタ検出回路１０によって検出されるジッタ値が次第に小さくなる。
【００２５】
そして、位相比較回路９に入力される波形整形回路５からの信号の周波数がＰＬＬ回路６によるロック範囲に入ると該ＰＬＬ回路６によるロック動作が行われるとともにジッタ検出回路１０によって検出されるジッタ値が小さくなる。即ち、このジッタ値の低下を制御回路１１が検出することになり、このジッタ値の低下によりディスク１の回転速度がＰＬＬ回路６によって設定されている信号を再生するために合致した回転速度になったと判定することが出来る。従って、ＰＬＬ回路６によって設定されている周波数を識別する記録密度に対応して設定すれば、その設定された記録密度がディスク１に記録されている信号の記録密度であることを認識することが出来る。
【００２６】
前述した動作によってディスク１に記録されている信号の記録密度を認識することが出来るので、記録密度の識別動作後再生動作又は記録動作を行うための制御動作を行うためのクロック信号の設定動作やディスク１の回転速度の設定動作等を記録密度に合わせて行うことが出来る。また、記録密度の識別動作を行うために使用する信号としては、ディスク１の内周側の所定位置に設けられているリードインと呼ばれる領域に記録されている信号を利用すれば良い。
【００２７】
尚、本実施例では、ＰＬＬ回路６のロック範囲を変更する方法として電圧制御発振器８の可変発振周波数を変更する場合について説明したが、ＰＬＬ回路６の利得を変更することによってロック範囲を変更するようにすることも出来る。
【００２８】
【発明の効果】
本発明は、異なる記録密度の信号が記録されるディスクを使用する光ディスク記録再生装置において、ディスクから読み出される信号に基づいて記録されている信号を再生するためのクロック信号を生成するべく設けられているＰＬＬ回路のロック範囲を狭めるとともにディスクの回転速度を徐々に増大させ、ディスクより再生される信号のジッタ値を計測し、そのジッタ値が所定の値に低下したときのディスクの回転数からディスクに記録されている信号の記録密度を識別するようにしたので、ディスクに記録されている信号の読み出し動作が正確に行えなくても記録密度を確実に認識することが出来る。
【図面の簡単な説明】
【図１】本発明に係る光ディスク記録再生装置の一実施例を示す回路図である。
【図２】本発明の記録密度識別方法を説明するための図である。
【符号の説明】
１        ディスク
３        光学式ピックアップ
５        波形整形回路
６        ＰＬＬ回路
７        フィルター回路
８        電圧制御発振器
９        位相比較回路
１０        ジッタ検出回路
１１        制御回路
１２        ロック範囲変更回路
１３        スピンドルモーター
１４        スピンドルモーター駆動回路
【図１】
2004152324.tif 000003
【図２】
2004152324.tif 000004